(57)【要約】【課題】使用者に対応して反発性を調整した素材により、単独で使うことは勿論、既存の寝具と組み合わせて使うことができるようにした、敷物装置を提供する。【解決手段】人体が仰臥可能な寸法の軟質性素材２で構成し、この軟質性素材２は、例えば健常者から床ずれ予防、治療を要する患者にあった素材を、それぞれ反発性を徐々に相違させて構成し、前記表地３に収容するようにする。軟質性素材２としては、例えば弾力性を有する巻縮ステープルより構成したランダムウェブにニードル加工を施して、このランダムウェブを平板状に加工すると共に波板形状に形成し、加熱処理をして成形保持して構成し、さらに、局所Ｅ１，Ｅ２（例えば肩甲骨周辺、腰部近傍）他、全体に亘って反発性を適宜調整するために、波形形状に形成したランダムウェブに、樹脂等を、充填量を変えて充填する。【選択図】　　　　　　　図２
2004057600.tif 000002
【特許請求の範囲】
【請求項１】
単層の軟質性素材で構成して、人体が仰臥可能な寸法として表地に収容し、前記軟質性素材は、反発性を徐々に相違させて構成したことを特徴とする敷物装置。
【請求項２】
単層の軟質性素材で構成して、人体が仰臥可能な寸法として表地に収容し、前記軟質性素材は、反発性を徐々に相違させて構成した敷物を、ベッド上のマットレス上に載置して、前記敷物とマットレスとをカバー部材により被覆することを特徴とする敷物装置。
【請求項３】
単層の軟質性素材で構成して、人体が仰臥可能な寸法として表地に収容し、前記軟質性素材は、反発性を徐々に相違させて構成した敷物を、布団上に載置して、前記敷物と布団とをカバー部材により被覆することを特徴とする敷物装置。
【請求項４】
単層の軟質性素材で構成して、人体が仰臥可能な寸法として表地に収容し、前記軟質性素材は、反発性を徐々に相違させて構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆することを特徴とする敷物装置。
【請求項５】
前記軟質性素材を、機械的加工により反発性を徐々に相違させて構成したことを特徴とする請求項１ないし４記載のうち、１記載の敷物装置。
【請求項６】
単層の軟質性素材で構成して、人体が仰臥可能な寸法として表地に収容し、前記軟質性素材は、局所的にまたは所望の箇所をそれぞれ反発性を相違させて構成したことを特徴とする敷物装置。
【請求項７】
単層の軟質性素材で構成して、人体が仰臥可能な寸法として表地に収容し、前記軟質性素材は、局所的にまたは所望の箇所をそれぞれ反発性を相違させて構成した敷物を、ベッド上のマットレス上に載置して、前記敷物とマットレスとをカバー部材により被覆することを特徴とする敷物装置。
【請求項８】
単層の軟質性素材で構成して、人体が仰臥可能な寸法として表地に収容し、前記軟質性素材は、局所的にまたは所望の箇所をそれぞれ反発性を相違させて構成した敷物を、布団上に載置して、前記敷物と布団とをカバー部材により被覆することを特徴とする敷物装置。
【請求項９】
単層の軟質性素材で構成して、人体が仰臥可能な寸法として表地に収容し、前記軟質性素材は、局所的にまたは所望の箇所をそれぞれ反発性を相違させて構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆することを特徴とする敷物装置。
【請求項１０】
前記軟質性素材を、機械的加工により局所的にまたは所望の箇所をそれぞれ反発性を相違させて構成したことを特徴とする請求項６ないし９記載のうち、１記載の敷物装置。
【請求項１１】
前記表地は、伸縮性を兼ね備えた防水性の布部材で構成したことを特徴とする請求項１ないし４記載、または請求項６ないし９記載のうち、いずれか１記載の敷物装置。
【発明の詳細な説明】
【０００１】
【発明の属する技術分野】
本発明は、健常者には、より快適な敷物装置を提供すると共にかかる健常者から、床ずれ予防、治療を要する患者に至るまで使用者に対応して反発性を調整した素材により、単独で使うことは勿論、既存の寝具と組み合わせて使うことができるようにした、敷物装置に関するものである。
【０００２】
【従来の技術】
高齢化社会に突入した現在、寝たきり等の入院患者数の増加と共に、褥瘡（じょくそう：床ずれ）発生の危険の高い患者が増加している。
以前、本出願人は、褥瘡対策を施したマットレスとして例えば特開平１１−１３７６１３号を提案している。この場合のマットレスでは、二層構造としており、通常使用対応の、比較的硬質素材で構成した第１マットレス（図示省略）と、床ずれ対策を施した例えば軟質な低反発ウレタンを用いた第２マットレス（図示省略）とを積層すると共に、これら第１マットレスと第２マットレスとを、表地に一体収容する構成としている。
前記マットレスによれば、床ずれ予防、治療を要する患者のみならず、健常者用のマットレスとしても使うことができるものとなっている。
また最近、本出願人は、ベッド上に限らず、和室に敷いた布団での使用も可能とした敷物を提案している。
かかる敷物によれば、病院内に限らず、在宅においても、より褥瘡の発生予防に効果を発揮するものであるので、高齢化社会に呼応した有効な褥瘡対策であるといえる。
【０００３】
【発明が解決しようとする課題】
このように、上記敷物は、床ずれ予防、治療を要する患者用としてのものであるので、広く健常者から患者、老人が使えるような敷物は未だ見受けられない。そのために、使用者個々の好み、あるいは傷病状況に応じるには、前記敷物の固さの調整がきくようにすることで達成可能であると考えられる。
本発明はこのような背景から提案されたものであって、健常者には、より快適な敷物装置を提供すると共にかかる健常者から、床ずれ予防、治療を要する患者に至るまで使用者に対応して反発性を調整した素材により、単独で使うことは勿論、既存の寝具と組み合わせて使うことができ、褥瘡対策にも呼応した、敷物装置を提供することを目的とする。
【０００４】
【課題を解決するための手段】
前記した課題を解決するために、本発明では、請求項１において、単層の軟質性素材で構成して、人体が仰臥可能な寸法として表地に収容し、前記軟質性素材は、反発性を徐々に相違させて構成した敷物装置を提案する。
また本発明では、請求項２において、単層の軟質性素材で構成して、人体が仰臥可能な寸法として表地に収容し、前記軟質性素材は、反発性を徐々に相違させて構成した敷物を、ベッド上のマットレス上に載置して、前記敷物とマットレスとをカバー部材により被覆する敷物装置を提案する。
また本発明では、請求項３において、単層の軟質性素材で構成して、人体が仰臥可能な寸法として表地に収容し、前記軟質性素材は、反発性を徐々に相違させて構成した敷物を、布団上に載置して、前記敷物と布団とをカバー部材により被覆する敷物装置を提案する。
また本発明では、請求項４において、単層の軟質性素材で構成して、人体が仰臥可能な寸法として表地に収容し、前記軟質性素材は、反発性を徐々に相違させて構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆する敷物装置を提案する。
また本発明では、請求項５において、前記軟質性素材を、機械的加工により反発性を徐々に相違させて構成した敷物装置を提案する。
また本発明では、請求項６において、単層の軟質性素材で構成して、人体が仰臥可能な寸法として表地に収容し、前記軟質性素材は、局所的にまたは所望の箇所をそれぞれ反発性を相違させて構成した敷物装置を提案する。
また本発明では、請求項７において、単層の軟質性素材で構成して、人体が仰臥可能な寸法として表地に収容し、前記軟質性素材は、局所的にまたは所望の箇所をそれぞれ反発性を相違させて構成した敷物を、ベッド上のマットレス上に載置して、前記敷物とマットレスとをカバー部材により被覆する敷物装置を提案する。
また本発明では、請求項８において、単層の軟質性素材で構成して、人体が仰臥可能な寸法として表地に収容し、前記軟質性素材は、局所的にまたは所望の箇所をそれぞれ反発性を相違させて構成した敷物を、布団上に載置して、前記敷物と布団とをカバー部材により被覆する敷物装置を提案する。
また本発明では、請求項９において、単層の軟質性素材で構成して、人体が仰臥可能な寸法として表地に収容し、前記軟質性素材は、局所的にまたは所望の箇所をそれぞれ反発性を相違させて構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆する敷物装置を提案する。
また本発明では、請求項１０において、前記軟質性素材を、機械的加工により局所的にまたは所望の箇所をそれぞれ反発性を相違させて構成した敷物装置を提案する。
さらに本発明では、請求項１１において、前記表地は、伸縮性を兼ね備えた防水性の布部材で構成した敷物装置を提案する。
【０００５】
請求項１によれば、人体が仰臥可能な寸法として表地に収容し、反発性を徐々に相違させて構成した単層の軟質性素材により寝姿勢を確保して、好適な体圧分散をもたらすことができる。
【０００６】
請求項２によれば、ベッドのマットレス上に載置して、反発性を徐々に相違させて構成した敷物とマットレスとをカバー部材により被覆して使用することができる。なお、軟質性素材は単層であるので安定性があり、ベッド上において使用者にあった好適な体圧分散がもたらされ、寝姿勢の保持が図られる。
【０００７】
請求項３によれば、反発性を徐々に相違させて構成した軟質性素材を用いた敷物と通常の布団とをカバー部材により被覆すれば、和室における布団をその使用者の好みに応じた固さとすることができる。
なお、軟質性素材は単層であるので安定した寝姿勢保持が可能であり、使用者にあった好適な体圧分散がもたらされ、快適な寝心地を得ることができる。
【０００８】
請求項４によれば、反発性を徐々に相違させた軟質性素材により構成する敷物を、その敷物に比較して硬質の素材で構成した下層部材と、敷物に比較して薄手且つ軟質の素材で構成した上層部材との間に介在して、これら上層部材と敷物と下層部材とをカバー部材により被覆して使用することができる。その際、使用者が上層部材に乗っても、下層部材によって衝撃が吸収され、軟質性素材は単層であるので安定した寝姿勢が確保され、好適な体圧分散性を得ることができる。
【０００９】
請求項５によれば、軟質性素材を、機械的加工により反発性を徐々に相違させるようにしたので、機械的加工の仕方により使用者の好みに応じた敷物を得ることができる。
【００１０】
請求項６によれば、局所的にまたは所望の箇所の反発性を相違させるようにした単層の軟質性素材により、使用者に対応した反発性の敷物とすることができ、いっそう効果的な体圧分散、および寝姿勢の保持が図られる。軟質性素材は単層であるので、安定した寝姿勢が確保される。
【００１１】
請求項７によれば、ベッドのマットレス上に載置して、局所的にまたは所望の箇所の反発性を相違させた軟質性素材により構成した敷物とマットレスとをカバー部材により被覆して使用することができる。なお、軟質性素材は単層であるので安定性があり、ベッド上において使用者にあった好適な体圧分散がもたらされ、寝姿勢の保持が図られる。
【００１２】
請求項８によれば、局所的にまたは所望の箇所の反発性を相違させるようにした軟質性素材を用いた敷物と通常の布団とをカバー部材により被覆すれば、和室における布団をその使用者の好みに応じた固さとすることができる。
なお、軟質性素材は単層であるので安定した寝姿勢保持が可能であり、使用者にあった好適な体圧分散がもたらされ、快適な寝心地を得ることができる。
【００１３】
請求項９によれば、局所的にまたは所望の箇所の反発性を相違させるようにした軟質性素材により構成する敷物を、その敷物に比較して硬質の素材で構成した下層部材と、敷物に比較して薄手且つ軟質の素材で構成した上層部材との間に介在して、これら上層部材と敷物と下層部材とをカバー部材により被覆して使用することができる。その際、使用者が上層部材に乗っても、下層部材によって衝撃が吸収され、軟質性素材は単層であるので安定した寝姿勢が確保され、好適な体圧分散性を得ることができる。
【００１４】
請求項１０によれば、軟質性素材を、機械的加工により局所的にまたは所望の箇所の反発性を相違させるようにしたので、機械的加工の仕方により使用者の好みに応じた敷物を得ることができる。
【００１５】
請求項１１によれば、表地内に収容した軟質性素材に外部からの水分、汚れ等が侵入するのを遮断して、感染予防に寄与することができ、且つ清拭等、清掃も容易である。
【００１６】
【発明の実施の態様】
以下、本発明にかかる敷物装置につき、一つの実施の態様を示し、添付の図面に基づいて説明する。
図１に敷物１を示す。この敷物１は、人体が仰臥可能な寸法の軟質性素材２で構成して、袋状表地３に収容するようにしている。
【００１７】
前記軟質性素材２は、例えば健常者から床ずれ予防、治療を要する患者にあった素材を、それぞれ反発性を徐々に相違させて構成し（後述）、前記表地３に収容するようにしている。
【００１８】
かかる軟質性素材２では、例えば健常者に適応させるために、周知の硬綿系中芯材を用いている。かかる硬綿系中芯材は、例えば弾力性を有する巻縮ステープルより構成したランダムウェブにニードル加工を施して、このランダムウェブを平板状に加工すると共に波板形状に形成し、加熱処理をして成形保持して構成している（図２参照）。この場合、さらに、局所Ｅ１，Ｅ２（例えば肩甲骨周辺、腰部近傍）他、全体に亘って反発性を適宜調整するために、波形形状に形成したランダムウェブに、樹脂等を、充填量を変えて充填している（図中、濃淡表示した箇所）。
前記局所Ｅ１，Ｅ２は、使用者の体圧がよりかかる箇所であり、局所Ｅ１，Ｅ２の軟質性素材２の反発性を他の箇所に比較して高く、または低く調整することで、体圧の分散性を調整して、その使用者の好みに応じた敷物１とするようにしている。
なお、ここでいう徐々にとは、例えば前記局所Ｅ１，Ｅ２に隣接する反発性の相違する箇所は勿論、ある反発性を有する箇所は、隣接する反発性の異なる箇所から急激に反発性を相違させるのではなく、少しずつ、反発性を変わるように移行させることを意味する。
また、前記軟質性素材２の反発性を徐々に調整するために、ランダムウェブに対する機械的加工、すなわちニードル加工の単位面積当りの加工度合いを変えるようにしてもよい。
【００１９】
この他、寝たきりではないベッド生活者に対応する軟質性素材２としては、例えば図３に示すようにポリエステル繊維を用いたもの、また、図４に示すようにポリエステル芯材と天然ゴムとを組み合わせて構成したものを用いて、同様に、局所Ｅ１，Ｅ２他、全体に亘って反発性を適宜調整するために、例えばポリエステル芯材と天然ゴムとの混合割合を変えたり、周知の加工、例えば機械的加工の度合いを変えることで達成することができる。かかる軟質性素材２においてもそれぞれの箇所の反発性から隣接する箇所の反発性に、徐々に変わるように調整している。
【００２０】
また、前記軟質性素材２には、また床ずれ対策を要する患者に適応させるために、厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材（図５参照）を用いることができる。この場合、表面が凹凸状に形成され、徐々に反発性を相違させるために、樹脂などの充填量を変えたり、熱処理の温度を変えて達成している。また軟質性素材２としては、フォームラバーも可能である。かかる素材においても、全体に亘って反発性を適宜調整するために、機械的加工の単位面積当たりの加工度合いを少しずつ変えて達成するようにしてもよい。この場合の機械的加工としては、例えば凹凸加工（プロファイル加工）、プレス打ち抜き、くり抜き、熱プレス加工等を挙げることができる。この場合も、特に体圧が偏在する局所Ｅ１，Ｅ２（肩甲骨周辺、腰部近傍）の体圧分散性を高めるために、前記機械的加工によって反発性を他の箇所に比較して低く調整するようにしている。
さらには前記軟質性素材２には、床ずれ対策を要する患者に適応させるために立体的に編み上げて反発性をもたらしたニット状素材（図示省略）を用いることができる。かかるニット状素材は、徐々に反発性を変えるべく編み上げ調整して構成するようにしてもよい。
【００２１】
さらに前記敷物１を構成する軟質性素材２を、局所的にまたは所望の箇所の反発性を調整する手段として、種々の機械的加工を施すことで達成できる。
この場合、機械的加工としては、例えば凹凸加工（プロファイル加工）、プレス打ち抜き、くり抜き、熱プレス加工等を挙げることができる。これら種々の機械的加工（図６中で示す、＋、−、〇等）を適宜組み合わせることで、局所的にまたは所望の箇所の反発性を調整している。
【００２２】
なお前記表地３には、伸縮性のある布部材を用いている。また、伸縮性と共に撥水性、または防水性を有する布地を用いることもできる。かかる表地３は長手方向側面側にファスナ（図示省略）を設けて、前記全体的、あるいは局所的に反発性を相違させた前述の軟質性素材２を、前記表地３内に収容するようにしている。
【００２３】
以上のような敷物１において、健常者から床ずれ予防、治療を要する患者にあった素材を、それぞれ反発性を徐々に相違させて構成した単層の軟質性素材２により寝姿勢を確保して、好適な体圧分散をもたらすことができる。
例えば前記敷物１を健常者に適応させるには、図２に示す周知の硬綿系中芯材を用いた軟質性素材２を用いる。この場合の、軟質性素材２は、特に局所Ｅ１，Ｅ２（例えば肩甲骨周辺、腰部近傍）他、波形形状に形成したランダムウェブに、樹脂等を、充填量を変えて充填して全体に亘って反発性を適宜調整するようにしているので、必要以上の沈み込みを抑えて、寝姿勢を保持することができ、健常者は違和感なく使用することができる。
すなわち、この敷物１を構成する軟質性素材２は、局所Ｅ１，Ｅ２に隣接する反発性の相違する箇所は勿論、ある反発性を有する箇所は、隣接する反発性の異なる箇所から急激に反発性を相違させるのではなく、徐々に反発性が変わるようにしたから、使用者が敷物１上に仰臥した際、身体になじみやすく、違和感のないものとなる。
【００２４】
この他、寝たきりではないベッド生活者に適応させるには、図３に示すようにポリエステル繊維を用いたもの、また、図４に示すようにポリエステル芯材と天然ゴムとを組み合わせて構成したものを用いる。この場合も、軟質性素材２は、例えばポリエステル芯材と天然ゴムとの混合割合を変えたり、周知の加工、例えば機械的加工の度合いを変えることで局所Ｅ１，Ｅ２（肩甲骨周辺、腰部近傍）他、全体に亘って反発性を徐々に調整しているから、使用者が敷物１上に仰臥した際、身体になじみやすく、必要以上に身体が沈み込むようなことはなく、寝姿勢保持が容易である。
【００２５】
一方、前記敷物１を床ずれ対策を要する患者に適応させるためには、軟質性素材２に、図５に示すように厚さ３０ｍｍ〜７０ｍｍ、見掛け密度が１０ｋｇ／ｍ３〜１００ｋｇ／ｍ３、圧縮硬さが１０Ｎ〜４００Ｎの、表面凹凸状ウレタンフォーム材を用いたものを使用する。かかる素材においても、機械的加工の単位面積当たりの加工度合いを少しずつ変えて、全体に亘って反発性が徐々に変化するように調整したから、使用上、身体になじみやすく、特に局所Ｅ１，Ｅ２（肩甲骨周辺、腰部近傍）にかかる体圧を好適に分散され、床ずれ対策を要する患者に適応したものとなる。
【００２６】
また、床ずれ対策を要する患者に適応させるための敷物１として、立体的に編み上げて反発性をもたらしたニット状素材を用いることができる。かかるニット状素材は、例えば体圧のよりかかる肩甲骨周辺や、仙骨周辺の箇所を、他の箇所と徐々に反発性を相違させるべく編み上げ調整したものにあっては、特に肩甲骨周辺や、仙骨周辺の箇所の体圧を好適に分散させることができるので、床ずれ対策に寄与することができ、患者にとって違和感なく、寝姿勢の保持を図ることができる。
【００２７】
そして、種々の機械的加工を施して、局所的にまたは所望の箇所の反発性を調整するようにした軟質性素材２によって構成した敷物１にあっては、使用者の身体状況や好みに一層対応した、敷物１として活用することができる（図６参照）。
【００２８】
以上のように本発明にかかる敷物１において、様々な素材の、反発性を徐々に調整したり、局所的に、または所望の箇所の反発性を調整した軟質性素材２を用いることにより、広く健常者から床ずれ対策を要する患者まで対応させることができるので、例えば図７に示すようにベッドＢのマットレスＭ上に載置して、前記敷物１とマットレスＭとをカバー部材４により被覆して使用することができる。なお、前記軟質性素材２は単層であるので安定性があり、ベッドＢ上において使用者にあった好適な体圧分散がもたらされ、寝姿勢の保持が図られる。
【００２９】
また、本発明にかかる敷物１は、その使用者に対応した軟質性素材２を用いた敷物１と通常の布団５とをカバー部材４により被覆すれば、和室における布団５をその使用者の好みに応じた固さとすることができる（図８参照）。
なお、前記軟質性素材２は単層であるので、安定した寝姿勢保持が可能であり、使用者にあった好適な体圧分散がもたらされ、快適な寝心地を得ることができる。
【００３０】
また本発明にかかる敷物１は、その敷物１に比較して硬質の素材で構成した下層部材６と、敷物１に比較して薄手且つ軟質の素材で構成した上層部材７との間に介在して、これら上層部材７と敷物１と下層部材６とをカバー部材４により被覆して使用することもできる（図９参照）。
その際、使用者が上層部材７に乗っても、下層部材６によって衝撃が吸収され、軟質性素材２は単層であり、体圧が好適に分散され、寝姿勢保持が図られる。
【００３１】
なお、表地３には、伸縮性と共に、撥水性、または防水性を有する布地を用いれば、表地３内に収容した軟質性素材２に、外部からの水分、汚れ等が侵入するのを遮断して、感染予防に寄与することができ、且つ清拭等、清掃も容易である。
【００３２】
【発明の効果】
本発明によれば、
（１）人体が仰臥可能な寸法として表地に収容し、反発性を徐々に相違させて構成した単層の軟質性素材により寝姿勢を確保して、好適な体圧分散をもたらすことができる。
（２）ベッドのマットレス上に載置して、反発性を徐々に相違させて構成した敷物とマットレスとをカバー部材により被覆して使用することができる。なお、軟質性素材は単層であるので安定性があり、ベッド上において使用者にあった好適な体圧分散がもたらされ、寝姿勢の保持が図られる。
（３）反発性を徐々に相違させて構成した軟質性素材を用いた敷物と通常の布団とをカバー部材により被覆すれば、和室における布団をその使用者の好みに応じた固さとすることができる。
なお、軟質性素材は単層であるので安定した寝姿勢保持が可能であり、使用者にあった好適な体圧分散がもたらされ、快適な寝心地を得ることができる。
（４）反発性を徐々に相違させた軟質性素材により構成する敷物を、その敷物に比較して硬質の素材で構成した下層部材と、敷物に比較して薄手且つ軟質の素材で構成した上層部材との間に介在して、これら上層部材と敷物と下層部材とをカバー部材により被覆して使用することができる。その際、使用者が上層部材に乗っても、下層部材によって衝撃が吸収され、軟質性素材は単層であるので安定した寝姿勢が確保され、好適な体圧分散性を得ることができる。
（５）軟質性素材を、機械的加工により反発性を徐々に相違させるようにしたので、機械的加工の仕方により使用者の好みに応じた敷物を得ることができる。
（６）局所的にまたは所望の箇所の反発性を相違させるようにした単層の軟質性素材により、使用者に対応した反発性の敷物とすることができ、いっそう効果的な体圧分散、および寝姿勢の保持が図られる。軟質性素材は単層であるので、安定した寝姿勢が確保される。
（７）ベッドのマットレス上に載置して、局所的にまたは所望の箇所の反発性を相違させた軟質性素材により構成した敷物とマットレスとをカバー部材により被覆して使用することができる。なお、軟質性素材は単層であるので安定性があり、ベッド上において使用者にあった好適な体圧分散がもたらされ、寝姿勢の保持が図られる。
（８）局所的にまたは所望の箇所の反発性を相違させるようにした軟質性素材を用いた敷物と通常の布団とをカバー部材により被覆すれば、和室における布団をその使用者の好みに応じた固さとすることができる。
なお、軟質性素材は単層であるので安定した寝姿勢保持が可能であり、使用者にあった好適な体圧分散がもたらされ、快適な寝心地を得ることができる。
（９）局所的にまたは所望の箇所の反発性を相違させるようにした軟質性素材により構成する敷物を、その敷物に比較して硬質の素材で構成した下層部材と、敷物に比較して薄手且つ軟質の素材で構成した上層部材との間に介在して、これら上層部材と敷物と下層部材とをカバー部材により被覆して使用することができる。その際、使用者が上層部材に乗っても、下層部材によって衝撃が吸収され、軟質性素材は単層であるので安定した寝姿勢が確保され、好適な体圧分散性を得ることができる。
（１０）軟質性素材を、機械的加工により局所的にまたは所望の箇所の反発性を相違させるようにしたので、機械的加工の仕方により使用者の好みに応じた敷物を得ることができる。
（１１）表地内に収容した軟質性素材に外部からの水分、汚れ等が侵入するのを遮断して、感染予防に寄与することができ、且つ清拭等、清掃も容易である。
【００３３】
【図面の簡単な説明】
【図１】本発明にかかる敷物装置の一例を示す、外観斜視図である。
【図２】図１に示す敷物装置の一例を示す、断面説明図である。
【図３】本発明にかかる敷物装置の別例を示す、断面説明図である。
【図４】本発明にかかる敷物装置の別例を示す、断面説明図である。
【図５】本発明にかかる敷物装置の別例を示す、断面説明図である。
【図６】本発明にかかる敷物装置の別例を示す、断面説明図である。
【図７】本発明にかかる敷物装置をベッド上におけるマットレスと組み合わせて使用した例を示す、側面説明図である。
【図８】本発明にかかる敷物装置を布団と組み合わせて使用した例を示す、側面説明図である。
【図９】本発明にかかる敷物装置を下層部材、上層部材間の中間層として使用した例を示す、側面説明図である。
【符号の説明】
１　　　　　　　　　　　　　　　　　敷物
２　　　　　　　　　　　　　　　　　軟質性素材
３　　　　　　　　　　　　　　　　　表地
４　　　　　　　　　　　　　　　　　カバー部材
５　　　　　　　　　　　　　　　　　布団
６　　　　　　　　　　　　　　　　　下層部材
７　　　　　　　　　　　　　　　　　上層部材
Ｂ　　　　　　　　　　　　　　　　　ベッド
Ｍ　　　　　　　　　　　　　　　　　マットレス
Ｅ１，Ｅ２　　　　　　　　　　　　　　局所
【図１】
2004057600.tif 000003
【図２】
2004057600.tif 000004
【図３】
2004057600.tif 000005
【図４】
2004057600.tif 000006
【図５】
2004057600.tif 000007
【図６】
2004057600.tif 000008
【図７】
2004057600.tif 000009
【図８】
2004057600.tif 000010
【図９】
2004057600.tif 000011